(57)【特許請求の範囲】
【請求項１】
対象部位を含む３次元領域に関する第１の医用画像データに対して、前記対象部位の概形を構成する複数の構成点を離散的に配置する第１設定部と、
前記第１の医用画像データに対して、前記複数の構成点のいずれかを通るように、関心領域の境界線を設定する第２設定部と、
操作者により操作された入力装置から、前記関心領域に含まれる頂点及び境界線の少なくとも一方の位置を変更する旨の指示を受け付ける受付部と、
前記指示が受け付けられた場合に、前記複数の構成点の位置は変更せずに、前記指示により位置が変更される頂点、又は、境界線に含まれる頂点が、前記複数の構成点のいずれかと一致するように、前記関心領域の前記境界線の位置を変更する変更部と、
を備える医用画像診断装置。
【請求項２】
前記関心領域の前記境界線の位置の変更前において、前記概形の一部および前記境界線の位置が変更される前の前記関心領域を示す３次元画像データにレンダリング処理を実行することで得られた第１のレンダリング画像を表示部に表示させる表示制御部を更に備え、
前記表示制御部は、前記関心領域の前記境界線の位置の変更後において、前記概形の一部および前記境界線の位置が変更された後の前記関心領域を示す３次元画像データにレンダリング処理を実行することで得られた第２のレンダリング画像を前記表示部に表示させる、
請求項１に記載の医用画像診断装置。
【請求項３】
前記受付部は、前記表示部に表示された前記第１のレンダリング画像に対する前記指示を受け付ける、
請求項２に記載の医用画像診断装置。
【請求項４】
前記複数の構成点の位置に基づいて、前記第１の医用画像データおよび前記第１の医用画像データと収集された時相が異なる第２の医用画像データの間の追跡処理を実行し、前記追跡処理の結果に基づいて、前記関心領域に関する運動情報を算出する算出部を更に備え、
前記表示制御部は、前記関心領域に関する運動情報を、所定の表示態様で、前記表示部に表示させる、
請求項３に記載の医用画像診断装置。
【請求項５】
前記対象部位は心腔である、
請求項１〜４のいずれか一つに記載の医用画像診断装置。
【請求項６】
前記第１のレンダリング画像および前記第２のレンダリング画像には、隣り合う構成点同士を結ぶ線分が表現される、
請求項３又は４に記載の医用画像診断装置。
【請求項７】
前記第１のレンダリング画像および前記第２のレンダリング画像には、構成点が表現される、
請求項３又は４に記載の医用画像診断装置。
【請求項８】
前記対象部位の概形における前記境界線は、前記複数の構成点の少なくとも一つを通るように設定される、
請求項１〜７のいずれか一つに記載の医用画像診断装置。
【請求項９】
前記境界線は、変更前の境界線が通らない構成点のうち少なくとも一つを、変更後の境界線が通るように変更される、
請求項１〜８のいずれか一つに記載の医用画像診断装置。
【請求項１０】
前記第２設定部は、更に、前記頂点及び前記境界線のそれぞれを識別する識別情報を設定し、
前記受付部は、前記指示として、前記識別情報を指定する旨の指示を受け付ける、
請求項１に記載の医用画像診断装置。
【請求項１１】
前記第２設定部は、前記関心領域として、互いに隣接する複数の領域を含む領域群を設定する、
請求項１〜１０のいずれか一つに記載の医用画像診断装置。
【請求項１２】
前記第２設定部は、前記第１の医用画像データにおいて撮影された心臓の部位に応じて、前記関心領域を設定する、
請求項１〜１１のいずれか一つに記載の医用画像診断装置。
【請求項１３】
前記関心領域を関連付けた心臓のポーラーマップを表示部に表示させる表示制御部を更に備え、
前記受付部は、前記表示部に表示されたポーラーマップの頂点又は境界線に対する操作に基づいて、対応する頂点又は境界線の位置情報の調整を受け付ける、
請求項１〜１２のいずれか一つに記載の医用画像診断装置。
【請求項１４】
前記関心領域の境界が調整されるごとに、調整後の関心領域に含まれる前記複数の構成点の位置の運動情報に関する値を算出する算出部を更に備える、
請求項１〜１３のいずれか一つに記載の医用画像診断装置。
【請求項１５】
前記算出部によって前記値が算出されるごとに、前記値を表示部に表示する表示制御部を更に備える、
請求項１４に記載の医用画像診断装置。
【請求項１６】
前記医用画像診断装置は、超音波画像診断装置である、
請求項１〜１５のいずれか１つに記載の医用画像診断装置。
【請求項１７】
対象部位を含む３次元領域に関する第１の医用画像データに対して、前記対象部位の概形を構成する複数の構成点を離散的に配置する第１設定部と、
前記第１の医用画像データに対して、前記複数の構成点のいずれかを通るように、関心領域の境界線を設定する第２設定部と、
操作者により操作された入力装置から、前記関心領域に含まれる頂点及び境界線の少なくとも一方の位置を変更する旨の指示を受け付ける受付部と、
前記指示が受け付けられた場合に、前記複数の構成点の位置は変更せずに、前記指示により位置が変更される頂点、又は、境界線に含まれる頂点が、前記複数の構成点のいずれかと一致するように、前記関心領域の前記境界線の位置を変更する変更部と、
を備える画像処理装置。
【請求項１８】
画像処理装置によって実行される画像処理方法であって、
対象部位を含む３次元領域に関する第１の医用画像データに対して、前記対象部位の概形を構成する複数の構成点を離散的に配置し、
前記第１の医用画像データに対して、前記複数の構成点のいずれかを通るように、関心領域の境界線を設定し、
操作者により操作された入力装置から、前記関心領域に含まれる頂点及び境界線の少なくとも一方の位置を変更する旨の指示を受け付け、
前記指示が受け付けられた場合に、前記複数の構成点の位置は変更せずに、前記指示により位置が変更される頂点、又は、境界線に含まれる頂点が、前記複数の構成点のいずれかと一致するように、前記関心領域の前記境界線の位置を変更する、
各処理を含む画像処理方法。
【請求項１９】
対象部位を含む３次元領域に関する第１の医用画像データに対して、前記対象部位の概形を構成する複数の構成点を離散的に配置し、
前記第１の医用画像データに対して、前記複数の構成点のいずれかを通るように、関心領域の境界線を設定し、
操作者により操作された入力装置から、前記関心領域に含まれる頂点及び境界線の少なくとも一方の位置を変更する旨の指示を受け付け、
前記指示が受け付けられた場合に、前記複数の構成点の位置は変更せずに、前記指示により位置が変更される頂点、又は、境界線に含まれる頂点が、前記複数の構成点のいずれかと一致するように、前記関心領域の前記境界線の位置を変更する、
各処理をコンピュータに実行させる画像処理プログラム。
【発明の詳細な説明】
【技術分野】
【０００１】
本発明の実施形態は、医用画像診断装置、画像処理装置、画像処理方法及び画像処理プログラムに関する。
【背景技術】
【０００２】
従来、心機能を客観的かつ定量的に評価するために、心臓における組織の変位や歪み等の運動情報を求める技術がある。例えば、超音波画像診断では、心臓の超音波画像を時系列的に収集し、超音波画像上で局所領域のパターンマッチングを行って、局所領域を追跡（トラッキング）することで、心臓の動きを推定する技術が存在する。
【０００３】
また、２次元の医用画像を取り扱う場合に、モニタに表示された画像上でのユーザ操作により、関心領域の境界を容易に調整することが行われている。例えば、超音波画像で心臓の断面において心筋を複数の領域に分割して表示する場合に、画面平面上における領域の境界の移動方向や移動距離を入力デバイスの操作（ドラッグアンドドロップ等）と関連づけておくことで、入力デバイスの操作のみで関心領域の境界を調整することが行われている。
【先行技術文献】
【特許文献】
【０００４】
【特許文献１】特開２００９−１１２４３６号公報
【発明の概要】
【発明が解決しようとする課題】
【０００５】
本発明が解決しようとする課題は、３次元画像における関心領域の境界を容易に調整することができる医用画像診断装置、画像処理装置、画像処理方法及び画像処理プログラムを提供することである。
【課題を解決するための手段】
【０００６】
実施形態の医用画像診断装置は、第１設定部と、第２設定部と、受付部と、変更部とを備える。第１設定部は、対象部位を含む３次元領域に関する第１の医用画像データに対して、前記対象部位の概形を構成する複数の構成点を離散的に配置する。第２設定部は、前記第１の医用画像データに対して、前記複数の構成点のいずれかを通るように、関心領域の境界線を設定する。受付部は、操作者により操作された入力装置から、前記関心領域に含まれる頂点及び境界線の少なくとも一方の位置を変更する旨の指示を受け付ける。変更部は、前記指示が受け付けられた場合に、前記複数の構成点の位置は変更せずに、前記指示により位置が変更される頂点、又は、境界線に含まれる頂点が、前記複数の構成点のいずれかと一致するように、前記関心領域の前記境界線の位置を変更する。
【図面の簡単な説明】
【０００７】
【図１】図１は、第１の実施形態に係る超音波診断装置の構成例を示すブロック図である。
【図２】図２は、第１の実施形態に係る第１設定部により設定される構成点について説明するための図である。
【図３】図３は、第１の実施形態に係る第２設定部により設定される領域群について説明するための図である。
【図４】図４は、第１の実施形態に係る受付部の処理を説明するための図である。
【図５】図５は、第１の実施形態に係る受付部の処理を説明するための図である。
【図６】図６は、第１の実施形態に係る調整部の処理を説明するための図である。
【図７】図７は、第１の実施形態に係る調整部の処理を説明するための図である。
【図８】図８は、第１の実施形態に係る表示制御部による表示画像の一例を示す図である。
【図９】図９は、第１の実施形態に係る境界の調整に関する処理を説明するためのフローチャートである。
【図１０】図１０は、第１の実施形態の変形例１に係る第２設定部の処理を説明するための図である。
【図１１】図１１は、第１の実施形態の変形例２に係る受付部の処理を説明するための図である。
【図１２】図１２は、第２の実施形態に係る超音波診断装置の構成例を示すブロック図である。
【図１３】図１３は、第２の実施形態に係る表示制御部の処理を説明するための図である。
【図１４】図１４は、その他の実施形態に係る画像処理システムの構成例を示す図である。
【図１５】図１５は、その他の実施形態に係る画像処理装置の構成例を示す図である。
【発明を実施するための形態】
【０００８】
以下、図面を参照して、実施形態に係る医用画像診断装置、画像処理装置、画像処理方法及び画像処理プログラムを説明する。
【０００９】
なお、以下では、実施形態が、医用画像診断装置の一例として、超音波診断装置に適用される場合を説明するが、実施形態はこれに限定されるものではない。例えば、実施形態は、Ｘ線診断装置、Ｘ線ＣＴ（Computed  Tomography）装置、ＭＲＩ（Magnetic  Resonance  Imaging）装置、ＳＰＥＣＴ（Single  Photon  Emission  Computed  Tomography）装置、ＰＥＴ（Positron  Emission  Tomography）装置、ＳＰＥＣＴ装置とＸ線ＣＴ装置とが一体化されたＳＰＥＣＴ−ＣＴ装置、ＰＥＴ装置とＸ線ＣＴ装置とが一体化されたＰＥＴ−ＣＴ装置、ＰＥＴ装置とＭＲＩ装置とが一体化されたＰＥＴ−ＭＲＩ装置、若しくはこれらの装置を複数含む装置群等に適用される場合であっても良い。
【００１０】
（第１の実施形態）
図１は、第１の実施形態に係る超音波診断装置の構成例を示すブロック図である。図１に示すように、第１の実施形態に係る超音波診断装置１は、超音波プローブ１１と、入力部１２と、モニタ１３と、心電計１４と、装置本体１００とを有する。
【００１１】
超音波プローブ１１は、複数の圧電振動子を有し、これら複数の圧電振動子は、後述する装置本体１００が有する送受信部１１０から供給される駆動信号に基づき超音波を発生する。また、超音波プローブ１１は、被検体Ｐからの反射波を受信して電気信号に変換する。また、超音波プローブ１１は、圧電振動子に設けられる整合層と、圧電振動子から後方への超音波の伝播を防止するバッキング材等を有する。なお、超音波プローブ１１は、装置本体１００と着脱自在に接続される。
【００１２】
超音波プローブ１１から被検体Ｐに超音波が送信されると、送信された超音波は、被検体Ｐの体内組織における音響インピーダンスの不連続面で次々と反射され、反射波信号として超音波プローブ１１が有する複数の圧電振動子にて受信される。受信される反射波信号の振幅は、超音波が反射される不連続面における音響インピーダンスの差に依存する。なお、送信された超音波パルスが、移動している血流や心臓壁等の表面で反射された場合の反射波信号は、ドプラ効果により、移動体の超音波送信方向に対する速度成分に依存して、周波数偏移を受ける。
【００１３】
例えば、本実施形態では、被検体Ｐの３次元走査用に、メカニカル４Ｄプローブや２Ｄアレイプローブが超音波プローブ１１として装置本体１００と接続される。メカニカル４Ｄプローブは、１Ｄアレイプローブのように一列で配列された複数の圧電振動子を用いて２次元走査が可能であるとともに、複数の圧電振動子を所定の角度（揺動角度）で揺動させることで３次元走査が可能である。また、２Ｄアレイプローブは、マトリックス状に配置された複数の圧電振動子により３次元走査が可能であるとともに、超音波を集束して送信することで２次元走査が可能である。
【００１４】
入力部１２は、マウス、キーボード、ボタン、パネルスイッチ、タッチコマンドスクリーン、フットスイッチ、トラックボール、ジョイスティック等を有し、超音波診断装置の操作者からの各種設定要求を受け付け、装置本体１００に対して受け付けた各種設定要求を転送する。
【００１５】
モニタ１３は、超音波診断装置の操作者が入力部１２を用いて各種設定要求を入力するためのＧＵＩ（Graphical  User  Interface）を表示したり、装置本体１００において生成された超音波画像データ等を表示したりする。
【００１６】
心電計１４は、超音波走査される被検体Ｐの生体信号として、被検体Ｐの心電波形（ＥＣＧ：  Electrocardiogram）を取得する。心電計１４は、取得した心電波形を装置本体１００に送信する。
【００１７】
装置本体１００は、超音波プローブ１１が受信した反射波信号に基づいて超音波画像データを生成する装置である。図１に示す装置本体１００は、超音波プローブ１１が受信した２次元の反射波データに基づいて２次元の超音波画像データを生成可能な装置である。また、図１に示す装置本体１００は、超音波プローブ１１が受信した３次元の反射波データに基づいて３次元の超音波画像データを生成可能な装置である。なお、３次元の超音波画像データは、「３次元医用画像データ」若しくは「ボリュームデータ」の一例である。
【００１８】
装置本体１００は、図１に示すように、送受信部１１０と、Ｂモード処理部１２０と、ドプラ処理部１３０と、画像生成部１４０と、画像メモリ１５０と、内部記憶部１６０と、制御部１７０とを有する。
【００１９】
送受信部１１０は、パルス発生器、送信遅延部、パルサ等を有し、超音波プローブ１１に駆動信号を供給する。パルス発生器は、所定のレート周波数で、送信超音波を形成するためのレートパルスを繰り返し発生する。また、送信遅延部は、超音波プローブ１１から発生される超音波をビーム状に集束し、かつ送信指向性を決定するために必要な圧電振動子ごとの遅延時間を、パルス発生器が発生する各レートパルスに対し与える。また、パルサは、レートパルスに基づくタイミングで、超音波プローブ１１に駆動信号（駆動パルス）を印加する。すなわち、送信遅延部は、各レートパルスに対し与える遅延時間を変化させることで、圧電振動子面から送信される超音波の送信方向を任意に調整する。
【００２０】
なお、送受信部１１０は、後述する制御部１７０の指示に基づいて、所定のスキャンシーケンスを実行するために、送信周波数、送信駆動電圧等を瞬時に変更可能な機能を有している。特に、送信駆動電圧の変更は、瞬間にその値を切り替え可能なリニアアンプ型の発信回路、又は、複数の電源ユニットを電気的に切り替える機構によって実現される。
【００２１】
また、送受信部１１０は、プリアンプ、Ａ／Ｄ（Analog／Digital）変換器、受信遅延部、加算器等を有し、超音波プローブ１１が受信した反射波信号に対して各種処理を行って反射波データを生成する。プリアンプは、反射波信号をチャネル毎に増幅する。Ａ／Ｄ変換器は、増幅された反射波信号をＡ／Ｄ変換する。受信遅延部は、受信指向性を決定するために必要な遅延時間を与える。加算器は、受信遅延部によって処理された反射波信号の加算処理を行って反射波データを生成する。加算器の加算処理により、反射波信号の受信指向性に応じた方向からの反射成分が強調され、受信指向性と送信指向性とにより超音波送受信の総合的なビームが形成される。
【００２２】
送受信部１１０は、被検体Ｐの２次元領域を走査する場合、超音波プローブ１１から２次元方向に超音波ビームを送信させる。そして、送受信部１１０は、超音波プローブ１１が受信した反射波信号から２次元の反射波データを生成する。また、送受信部１１０は、被検体Ｐの３次元領域を走査する場合、超音波プローブ１１から３次元方向に超音波ビームを送信させる。そして、送受信部１１０は、超音波プローブ１１が受信した反射波信号から３次元の反射波データを生成する。
【００２３】
なお、送受信部１１０からの出力信号の形態は、ＲＦ（Radio  Frequency）信号と呼ばれる位相情報が含まれる信号である場合や、包絡線検波処理後の振幅情報である場合等、種々の形態が選択可能である。
【００２４】
Ｂモード処理部１２０は、送受信部１１０から反射波データを受信し、対数増幅、包絡線検波処理等を行って、信号強度が輝度の明るさで表現されるデータ（Ｂモードデータ）を生成する。
【００２５】
ドプラ処理部１３０は、送受信部１１０から受信した反射波データから速度情報を周波数解析し、ドプラ効果による血流や組織、造影剤エコー成分を抽出し、速度、分散、パワー等の移動体情報を多点について抽出したデータ（ドプラデータ）を生成する。
【００２６】
なお、第１の実施形態に係るＢモード処理部１２０及びドプラ処理部１３０は、２次元の反射波データ及び３次元の反射波データの両方について処理可能である。すなわち、Ｂモード処理部１２０は、２次元の反射波データから２次元のＢモードデータを生成し、３次元の反射波データから３次元のＢモードデータを生成する。また、ドプラ処理部１３０は、２次元の反射波データから２次元のドプラデータを生成し、３次元の反射波データから３次元のドプラデータを生成する。
【００２７】
画像生成部１４０は、Ｂモード処理部１２０及びドプラ処理部１３０が生成したデータから超音波画像データを生成する。すなわち、画像生成部１４０は、Ｂモード処理部１２０が生成した２次元のＢモードデータから、反射波の強度を輝度で表した２次元Ｂモード画像データを生成する。また、画像生成部１４０は、ドプラ処理部１３０が生成した２次元のドプラデータから、移動体情報を表す２次元ドプラ画像データを生成する。２次元ドプラ画像データは、速度画像データ、分散画像データ、パワー画像データ、又は、これらを組み合わせた画像データである。また、画像生成部１４０は、ドプラ処理部１３０が生成したドプラデータから、血流や組織の速度情報を時系列に沿ってプロットしたドプラ波形を生成することも可能である。
【００２８】
ここで、画像生成部１４０は、一般的には、超音波走査の走査線信号列を、テレビ等に代表されるビデオフォーマットの走査線信号列に変換（スキャンコンバート）し、表示用の超音波画像データを生成する。具体的には、画像生成部１４０は、超音波プローブ１１による超音波の走査形態に応じて座標変換を行うことで、表示用の超音波画像データを生成する。また、画像生成部１４０は、スキャンコンバート以外に種々の画像処理として、例えば、スキャンコンバート後の複数の画像フレームを用いて、輝度の平均値画像を再生成する画像処理（平滑化処理）や、画像内で微分フィルタを用いる画像処理（エッジ強調処理）等を行う。また、画像生成部１４０は、超音波画像データに、種々のパラメータの文字情報、目盛り、ボディーマーク等を合成する。
【００２９】
すなわち、Ｂモードデータ及びドプラデータは、スキャンコンバート処理前の超音波画像データであり、画像生成部１４０が生成するデータは、スキャンコンバート処理後の表示用の超音波画像データである。なお、Ｂモードデータ及びドプラデータは、生データ（Raw  Data）とも呼ばれる。
【００３０】
更に、画像生成部１４０は、Ｂモード処理部１２０が生成した３次元のＢモードデータに対して座標変換を行うことで、３次元Ｂモード画像データを生成する。また、画像生成部１４０は、ドプラ処理部１３０が生成した３次元のドプラデータに対して座標変換を行うことで、３次元ドプラ画像データを生成する。すなわち、画像生成部１４０は、「３次元のＢモード画像データや３次元ドプラ画像データ」を「３次元超音波画像データ（ボリュームデータ）」として生成する。
【００３１】
更に、画像生成部１４０は、ボリュームデータをモニタ１３にて表示するための各種の２次元画像データを生成するために、ボリュームデータに対してレンダリング処理を行う。画像生成部１４０が行うレンダリング処理としては、断面再構成法（ＭＰＲ：Multi  Planer  Reconstruction）を行ってボリュームデータからＭＰＲ画像データを生成する処理がある。また、画像生成部１４０が行うレンダリング処理としては、ボリュームデータに対して「Curved  MPR」を行う処理や、ボリュームデータに対して「Maximum  Intensity  Projection」を行う処理がある。また、画像生成部１４０が行うレンダリング処理としては、ボリュームレンダリング（ＶＲ：Volume  Rendering）処理がある。
【００３２】
画像メモリ１５０は、画像生成部１４０が生成した表示用の画像データを記憶するメモリである。また、画像メモリ１５０は、Ｂモード処理部１２０やドプラ処理部１３０が生成したデータを記憶することも可能である。画像メモリ１５０が記憶するＢモードデータやドプラデータは、例えば、診断の後に操作者が呼び出すことが可能となっており、画像生成部１４０を経由して表示用の超音波画像データとなる。
【００３３】
なお、画像生成部１４０は、超音波画像データと当該超音波画像データを生成するために行われた超音波走査の時間とを、心電計１４から送信された心電波形に対応付けて画像メモリ１５０に格納する。後述する制御部１７０は、画像メモリ１５０に格納されたデータを参照することで、超音波画像データを生成するために行われた超音波走査時の心時相を取得することができる。
【００３４】
内部記憶部１６０は、超音波送受信、画像処理及び表示処理を行うための制御プログラムや、診断情報（例えば、患者ＩＤ、医師の所見等）や、診断プロトコルや各種ボディーマーク等の各種データを記憶する。また、内部記憶部１６０は、必要に応じて、画像メモリ１５０が記憶する画像データの保管等にも使用される。また、内部記憶部１６０が記憶するデータは、図示しないインターフェースを経由して、外部装置へ転送することができる。なお、外部装置は、例えば、画像処理用の高性能なワークステーションや、画像診断を行う医師が使用するＰＣ（Personal  Computer）、ＣＤやＤＶＤ等の記憶媒体、プリンター等である。
【００３５】
制御部１７０は、超音波診断装置の処理全体を制御する。具体的には、制御部１７０は、入力部１２を介して操作者から入力された各種設定要求や、内部記憶部１６０から読込んだ各種制御プログラム及び各種データに基づき、送受信部１１０、Ｂモード処理部１２０、ドプラ処理部１３０及び画像生成部１４０の処理を制御する。また、制御部１７０は、画像メモリ１５０や内部記憶部１６０が記憶する表示用の超音波画像データをモニタ１３にて表示するように制御する。
【００３６】
また、制御部１７０は、周期的に運動する組織の運動情報を提供する。例えば、制御部１７０は、画像メモリ１５０に格納された心臓の超音波画像データを取得して、画像処理による心臓の壁運動解析（Wall  Motion  Tracking、ＷＭＴ）を行って心臓壁の運動情報を算出する。そして、制御部１７０は、生成した運動情報を、画像メモリ１５０や内部記憶部１６０に格納する。なお、制御部１７０が運動情報を算出する処理については、後述する。
【００３７】
ところで、２次元の医用画像を取り扱う場合に、モニタに表示された画像上でのユーザ操作により、関心領域の境界を容易に調整することが行われている。例えば、超音波画像で心臓の断面において心筋を複数の領域に分割して表示する場合に、画面平面上における領域の境界の移動方向や移動距離を入力デバイスの操作（ドラッグアンドドロップ等）と関連づけておくことで、入力デバイスの操作のみで関心領域の境界を調整することが行われている。
【００３８】
しかしながら、３次元の医用画像を取り扱う場合には、２次元の場合とは異なり、モニタに表示された画像上でのユーザ操作により、関心領域の境界を調整（変更）することは難しかった。例えば、ある断面において関心領域を拡大（又は縮小）する場合、その断面上での拡大（又は縮小）に限られてしまう。このため、３次元的に関心領域の境界を調整する場合、関心領域が設定される複数断面にわたって各関心領域を調整することとなり、操作が煩雑になってしまう。したがって、３次元画像における関心領域の境界を調整することは難しかった。
【００３９】
また、例えば、ボリュームレンダリング表示された画像上で関心領域の調整を行ったとしても、ドラッグアンドドロップ操作等で指定できる情報は画面平面の２次元情報のみであり、奥行き情報は指定できない。このため、３次元画像における関心領域の境界を調整することは難しかった。
【００４０】
そこで、第１の実施形態に係る超音波診断装置１は、３次元画像における関心領域の境界を容易に調整するために、以下の構成を備える。
【００４１】
第１の実施形態に係る制御部１７０は、取得部１７１と、第１設定部１７２と、追跡部１７３と、運動情報算出部１７４と、第２設定部１７５と、受付部１７６と、調整部１７７と、表示制御部１７８とを備える。
【００４２】
なお、以下では、制御部１７０が心臓の壁運動解析を行って心臓壁の運動情報を算出する場合について説明するが、実施形態はこれに限定されるものではない。例えば、制御部１７０は、壁運動解析に限らず、心筋の厚さ情報を算出することも可能である。
【００４３】
取得部１７１は、心臓が撮影された３次元医用画像データを取得する。例えば、取得部１７１は、少なくとも１心拍分の複数のボリュームデータを含むボリュームデータ群を取得する。
【００４４】
例えば、操作者は、セクタプローブにより、被検体Ｐの心臓を含む領域を２次元走査、又は、３次元走査を行って、心筋が描出された２次元又は３次元の超音波画像データの動画像データの撮影を行う。この動画像データは、例えば、Ｂモードで収集された超音波画像データ群である。これにより、画像生成部１４０は、心筋の動画像データを生成し、生成した動画像データを画像メモリ１５０に格納する。そして、操作者は、処理対象の区間として、例えば、心電図におけるＲ波から次のＲ波までの１心拍分の区間を設定する。なお、本実施形態は、処理対象の区間が２心拍分の区間や３心拍分の区間として設定される場合であっても適用可能である。
【００４５】
そして、例えば、取得部１７１は、ボリュームデータ群を画像メモリ１５０から取得する。このボリュームデータ群は、操作者が設定した１心拍分の区間に含まれる複数のフレームの超音波ボリュームデータ（３次元の超音波画像データ）を含む。
【００４６】
なお、第１の実施形態では、取得部１７１が、３次元医用画像データとして、３次元の超音波画像データを取得して、以下の処理に用いる場合を説明するが、実施形態はこれに限定されるものではない。例えば、取得部１７１は、心臓が撮影された３次元医用画像データを取得すれば良い。また、取得部１７１は、必ずしも心臓の全てが撮影された３次元医用画像データを取得しなくても良い。つまり、取得部１７１は、心臓のうち、左心室や右心室等、心臓の少なくとも一部が撮影された３次元医用画像データを取得すれば良い。
【００４７】
第１設定部１７２は、３次元医用画像データにおいて、心臓の少なくとも一部の概形を示す複数の位置に対して各位置を識別する識別情報を設定する。例えば、第１設定部１７２は、超音波画像データ群に含まれる少なくとも１つの超音波画像データにおける組織（例えば心臓）の輪郭（表面）に対応する位置に、アドレスが付与された構成点を複数設定する。このアドレスは、各構成点を識別するために付与される番号であり、例えば、心臓の内膜における各構成点の位置に基づいて定義される。なお、アドレスは、番号に限らず、例えば、文字、記号等、各構成点の位置を識別可能な識別情報であれば良い。
【００４８】
なお、第１の実施形態では、心臓の表面の一例として、左心室の内膜に対して以下の処理が実行される場合を説明するが、実施形態はこれに限定されるものではない。例えば、内膜に限らず、外膜若しくは内膜と外膜の中間層に対して以下の処理が実行されても良い。また、例えば、左心室に限らず、右心室や左心房、右心房、若しくは心臓全体等、任意の領域に対して以下の処理が実行されても良い。なお、本実施形態では、第１設定部１７２は、操作者が用手的に設定した情報により、心臓の初期輪郭に対応する位置に、輪郭を構成する構成点を複数設定する。
【００４９】
まず、操作者は、取得部１７１によって取得されたボリュームデータ群について、任意の心時相を指定する。ここで指定される任意の心時相は、１心拍分の区間に含まれるフレームのうちの任意のフレームであり、例えば、拡張末期時相（最初のＲ波時相）である。そして、操作者によって任意の心時相が指定されると、第１設定部１７２は、指定された心時相における心臓のボリュームデータのＭＰＲ処理を画像生成部１４０に対して実行させ、初期輪郭の設定において基準となるＭＰＲ断面（基準ＭＰＲ断面）をモニタ１３に表示させる。なお、ここでは、任意の心時相として拡張末期時相が指定される場合を説明したが、これに限定されるものではなく、例えば、収縮末期時相等であっても良い。
【００５０】
例えば、操作者は、１つ目の基準ＭＰＲ断面（ＭＰＲ１）として心尖部四腔断面（apical  four-chamber  view、Ａ４Ｃ）を、２つ目の基準ＭＰＲ断面（ＭＰＲ２）として心尖部二腔断面（apical  two-chamber  view、Ａ２Ｃ）をそれぞれ表示させる旨を指定する。そして、操作者は、表示された心尖部四腔断面と心尖部二腔断面とに対してそれぞれ初期輪郭を入力する。なお、ＭＰＲ断面上には心臓の内膜や外膜のみならず、乳頭筋や腱索等も表示されているので、操作者は、拡張末期時相において、表示された基準ＭＰＲ断面を観察しながら、描出されている乳頭筋や腱索等が含まれないように初期輪郭を指定する。
【００５１】
第１設定部１７２は、複数の基準ＭＰＲ断面に対して初期輪郭が入力されると、既知の方法によって、入力された２次元的な初期輪郭から３次元の初期輪郭を生成する。具体的には、第１設定部１７２は、ＭＰＲ１及びＭＰＲ２上で指定された心臓の内膜の初期輪郭から、３次元の初期輪郭Ｐ＿ｅｎｄｏを生成する。
【００５２】
そして、第１設定部１７２は、心臓の内膜の３次元における初期輪郭を構成する複数の構成点に対して、アドレスをそれぞれ付与する。例えば、第１設定部１７２は、心臓の内膜の各構成点の位置をＰ＿ｅｎｄｏ（ｔ、ｈ、ｄ）と定義する。ここで、ｔは、１心拍分の区間に含まれるフレーム（心時相）を表し、ｈは、長軸方向のアドレス番号を表し、ｄは、円周方向のアドレス番号を表す。なお、ここでは最初のＲ波時相を用いて初期断面を設定しているので、ｔ＝０である。
【００５３】
図２は、第１の実施形態に係る第１設定部１７２により設定される構成点について説明するための図である。図２に示す例では、左心室の内膜の輪郭に対して初期輪郭２１を設定する場合を例示する。図２に示す各構成点は、心臓の内膜の輪郭と、長軸方向２２を通る各断面と、長軸方向２２に直交する各断面（短軸断面）との交点に配置される。なお、平面２３は、ＭＰＲ１（Ａ４Ｃ）であり、平面２４は、ＭＰＲ２（Ａ２Ｃ）である。
【００５４】
図２に示すように、第１設定部１７２は、初期輪郭とＭＰＲ１が交差する位置のうち一方を円周方向の基準位置として、その位置の構成点のｄを０とする。つまり、この基準位置にある構成点の位置は、Ｐ＿ｅｎｄｏ（０、ｈ、０）と表される。そして、第１設定部１７２は、基準位置の構成点から円周方向にある構成点を順に、ｄ＝１，２，３・・・とアドレス番号を設定する。また、第１設定部１７２は、３次元の初期輪郭２１のうち、心尖部２５から最も遠い環状輪郭の位置を長軸方向の基準位置として、その位置の構成点のｈを０とする。つまり、この基準位置にある構成点の位置は、Ｐ＿ｅｎｄｏ（０、０、ｄ）と表される。そして、第１設定部１７２は、基準位置の構成点から心尖方向にある構成点を順に、ｈ＝１，２，３・・・とアドレス番号を設定する。
【００５５】
なお、図２では、３次元の超音波画像データにおいて、心臓の内膜の表面に対して、長軸方向と円周方向とに複数の構成点が配列されることにより、各構成点によって結ばれる小領域が四角形のパッチとなる場合を説明した。しかしながら、実施形態はこれに限定されるものではない。例えば、各構成点が所定のルールにしたがって配列されることにより、小領域が三角形のパッチとなっても良いし、その他多角形やカーブを含むパッチとなっても良い。
【００５６】
また、図２では、２つの基準ＭＰＲ断面を用いて初期輪郭が指定される場合を説明したが、実施形態はこれに限定されるものではない。例えば、第１設定部１７２に２つ以上の基準ＭＰＲ断面を用いて初期輪郭が指定されても良い。また、ここでは基準ＭＰＲ断面として、心尖部四腔断面と心尖部二腔断面とが用いられる場合を説明したが、これに限定されるものではない。例えば、左心内腔中心軸を通る他の長軸断面として、心尖部三腔断面（Ａ３Ｃ）が用いられても良いし、長軸断面と直交する短軸断面（ＳＡＸ−Ａ：心尖部レベル、ＳＡＸ−Ｍ：中部レベル、ＳＡＸ−Ｂ：基部レベル等）、更には、これらの断面と所定の位置関係によって定義される断面が用いられても良い。また、複数の基準ＭＰＲ断面を表示する処理は、上記のような用手的な操作に限定されるものではなく、例えば、ボリュームデータから任意の断面を自動的に検出して表示する自動断面検出により自動的に表示されても良い。また、初期輪郭の指定は、上記の用手的な操作に限定されるものではなく、内膜輪郭形状の辞書データ（例えば、過去に設定された輪郭の統計データ）を用いて、第１設定部１７２が自動的もしくは半自動的に指定することとしても良い。更に、初期輪郭の指定は、画像中の境界を検出する境界検出方法等を用いて自動的もしくは半自動的に行っても良い。
【００５７】
追跡部１７３は、複数の構成点が設定された超音波画像データと他の超音波画像データとを用いてパターンマッチングを含む処理を行うことで、超音波画像データ群に含まれる複数の超音波画像データにおける複数の構成点の位置を追跡する。
【００５８】
例えば、追跡部１７３は、ボリュームデータ群に含まれるフレームｔ＝０のボリュームデータに対して、初期輪郭に対応する位置に複数の構成点が設定されると、パターンマッチングを含む処理によって、他のフレームｔにおける各構成点の位置を追跡する。具体的には、追跡部１７３は、複数の構成点が設定済みのフレームのボリュームデータと、そのフレームと隣り合うフレームのボリュームデータとの間で、繰り返しパターンマッチングを行う。すなわち、追跡部１７３は、ｔ＝０のボリュームデータにおける心臓の内膜の各構成点Ｐ＿ｅｎｄｏ（０、ｈ、ｄ）を起点として、ｔ＝１，２，３・・・の各フレームのボリュームデータにおける各構成点Ｐ＿ｅｎｄｏ（ｔ、ｈ、ｄ）の位置を追跡する。この結果、追跡部１７３は、１心拍分の区間に含まれる各フレームについて、心臓の内膜を構成する各構成点の座標情報を求める。
【００５９】
運動情報算出部１７４は、各超音波画像データ群に含まれる複数の超音波画像データにおける複数の構成点の位置を用いて、複数の超音波画像データごとに組織の運動を表す運動情報を算出する。
【００６０】
ここで、運動情報算出部１７４によって算出される運動情報としては、例えば、各構成点の１フレームごとの移動距離（Displacement）、移動距離の時間微分によって定義される速度（Velocity）等のパラメータが挙げられる。しかしながら、運動情報は、これらのパラメータに限定されるものではなく、１心拍分の区間に含まれる各フレームにおける複数の構成点の座標情報を用いて算出可能なパラメータであれば良い。具体的には、所定の方向における２点間の距離の変化率である歪み（Strain）、歪みの時間微分によって定義される歪み速度（Strain  Rate）、心臓内膜面の局所の面積、ｔ＝０からの面積の変化率等、種々のパラメータが挙げられる。更には、「ある運動情報がピーク値となるまでの時間」等、操作者が任意のパラメータを設定することも可能である。
【００６１】
以下では、一例として、運動情報算出部１７４が「内膜面の局所面積変化率の時間微分値」を運動情報として算出する場合を説明する。なお、算出された運動情報は、算出に用いた各構成点に与えられる。具体的には、例えば、心臓の内膜の各構成点から算出される運動情報は、Ｖ＿ｅｎｄｏ（ｔ、ｈ、ｄ）と定義される。そして、運動情報算出部１７４は、算出した運動情報をボリュームデータ群ごとに画像メモリ１５０に格納する。
【００６２】
このように、運動情報算出部１７４は、超音波画像データ群について、心臓の内膜の運動情報を算出する。
【００６３】
第２設定部１７５は、境界が前記複数の位置のいずれかを通る関心領域を設定する。例えば、第２設定部１７５は、関心領域として、互いに隣接する複数の領域を含む領域群を設定する。ここで、領域群とは、例えば、左心室では米国心エコー図学会等で定められている１６セグメントモデル、米国心臓病学会で定められている１７セグメントモデル、若しくは２０セグメントモデル等である。左心室以外（右心室など）の心臓腔については、標準的なセグメントモデルは無いため、用途に応じた任意のセグメントモデルを用いる。また、心臓の少なくとも一部に含まれる関心領域は、１つであっても良いし、複数であっても良い。心臓の少なくとも一部に関心領域が複数含まれる場合には、関心領域同士が隣接していても良い。関心領域同士は、点で接していても良いし、線で接していても良い。
【００６４】
図３は、第１の実施形態に係る第２設定部１７５により設定される領域群について説明するための図である。図３には、初期輪郭２１に対して１７セグメントモデルの領域群３０が設定される場合の一例を示す。なお、領域群３０は、図中の太線により示される。
【００６５】
図３に示すように、第２設定部１７５は、第１設定部１７２によって複数の構成点が設定された３次元医用画像データの初期輪郭２１に対して、１７セグメントモデルの領域群３０を設定する。具体的には、第２設定部１７５は、初期輪郭２１の長軸方向を所定のアドレス位置で４分割にする。そして、第２設定部１７５は、４分割にされた初期輪郭２１の円周方向を所定のアドレス位置で分割することで、合計１７個の領域（セグメント）から構成される領域群３０を設定する。ここで、この１７セグメントモデルに含まれる各領域（セグメント）は、互いに隣接している。言い換えると、各領域は、隣接する他の領域と共通する境界線を有する。
【００６６】
また、第２設定部１７５は、関心領域の頂点及び境界線のそれぞれを識別するインデックスを設定する。例えば、１７セグメントモデルにおいては、各セグメントの頂点及び境界線のそれぞれに対して、インデックスとして番号を設定する。なお、このインデックスは、番号に限らず、例えば、文字、記号等、各構成点の位置を識別可能な識別情報であれば良い。このインデックスは、第２識別情報の一例である。
【００６７】
このように、第２設定部１７５は、長軸方向及び円周方向の所定のアドレス位置で分割することで、領域群３０の各領域の頂点を、各構成点のいずれかに設定する。なお、第２設定部１７５により分割される所定のアドレス位置は、セグメントモデル（領域群）ごとに予め設定され、装置本体１００の所定の記憶領域に登録されている。
【００６８】
なお、図３では、１７セグメントモデルの領域群３０が設定される場合を説明したが、実施形態はこれに限定されるものではない。例えば、実施形態は、２０セグメントモデル、７セグメントモデル等、各種のセグメントモデルが設定されても良いし、操作者によって設定された任意の形状の関心領域であっても良い。また、関心領域は、必ずしも初期輪郭２１の表面全体を覆わなくても良いし、複数の領域を含んでいなくても良い。つまり、第２設定部１７５は、初期輪郭２１の一部のみを覆うように、一つの関心領域のみを設定しても良い。また、第２設定部１７５は、複数の関心領域を隣り合うことなく個別に設定しても良い。
【００６９】
受付部１７６は、操作者による入力を受け付ける。例えば、受付部１７６は、入力として、関心領域に含まれる頂点及び境界線の少なくとも一方の位置を調整する旨の入力を受け付ける。また、受付部１７６は、入力として、インデックスを指定する旨の入力を受け付ける。
【００７０】
図４及び図５は、第１の実施形態に係る受付部１７６の処理を説明するための図である。関心領域としては、左心室の内膜面を想定した１７セグメントモデルの例となっている。図４には、３次元医用画像データに基づく画像を表示する表示領域４０がモニタ１３に表示される場合の一例を示す。図４において、表示領域４０に表示される３次元医用画像データは、例えば、ボリュームレンダリング画像である。また、このボリュームレンダリング画像には、例えば、インデックス４１，４２，４３，４４・・・が表示されている。このインデックス４１，４２，４３は、そのインデックスが配置された位置の頂点を指定するためのインデックスである。また、インデックス４４は、そのインデックスが配置された位置の境界線、つまり、インデックス４１の頂点とインデックス４２の頂点とを結ぶ境界線を指定するためのインデックスである。図５は、図４の領域４５の拡大図に対応する。図５に示すように、各頂点は、初期輪郭２１に設定されたアドレス（構成点）に一致するように設定されている。
【００７１】
図４に示すように、例えば、受付部１７６は、表示領域４０を用いて、関心領域の境界を調整する旨の入力を受け付ける。まず、受付部１７６は、移動対象となる頂点又は境界線の指定を受け付ける。具体的には、受付部１７６は、各セグメントの頂点及び境界線に対して設定されたインデックスを用いて、移動対象となる頂点又は境界線の指定を受け付ける。例えば、インデックス４１の位置がマウスカーソルにより指定されると、受付部１７６は、インデックス４１の頂点が移動対象として指定されたものとして受け付ける。そして、受付部１７６は、指定された頂点の大きさ、形状、色等を調整することで、強調表示を行う。
【００７２】
次に、受付部１７６は、移動方向及び移動量の指定を受け付ける。例えば、操作者がマウスのホイールを上方向に一定量回転させると、受付部１７６は、インデックス４１の頂点を表示領域４０の上方向に所定距離移動させることが指定されたものとして受け付ける。なお、マウスのホイールの動作と、頂点の移動方向及び移動量との関係は、予め設定され、装置本体１００の所定の記憶領域に登録されている。
【００７３】
このように、受付部１７６は、初期輪郭２１に対して設定された関心領域の境界を調整する旨の入力を受け付ける。そして、受付部１７６は、移動対象となる頂点及び境界線の位置、移動方向、移動量等、受け付けた情報を調整部１７７へ出力する。なお、図４では説明を省略したが、境界線についても頂点と同様に移動対象となる旨の指定を受け付け、また、移動方向及び移動量の指定を受け付ける。
【００７４】
なお、図４では、マウス操作により各種の入力が行われる場合を説明したが、実施形態はこれに限定されるものではない。例えば、受付部１７６は、マウス以外のポインティングデバイスやキーボード、フットスイッチ、タッチパネル、ペンタブレット等、各種の入力デバイスの操作によっても各種の入力を受け付けることができる。例えば、インデックス４１の頂点がキーボードの「１」キーと対応づけられている場合には、受付部１７６は、キーボードの「１」キーが押下されることにより、移動対象の指定を受け付けても良い。また、受付部１７６は、キーボードの「上方向矢印」キーの押下により、上方向への移動として受け付けても良い。この場合、例えば、移動量は、キーの押下回するに応じて予め設定されている。また、タッチパネルの場合には、受付部１７６は、タッチによって移動対象の指定を受け付け、スワイプ又はフリックによって移動方向及び移動量の指定を受け付けても良い。
【００７５】
また、図４では、移動対象として指定された頂点及び境界線が強調表示されるものとして説明したが、実施形態はこれに限定されるものではない。つまり、必ずしも強調表示されなくても良い。また、例えば、インデックスを用いることなく、マウスカーソルの操作のみで移動対象を指定したり、移動方向及び移動量を指定したりしても良い。
【００７６】
調整部１７７は、受付部１７６が入力を受け付けると、関心領域の境界を、識別情報が設定された位置上で調整する。例えば、調整部１７７は、入力により位置が調整される頂点、又は、境界線に含まれる頂点が、構成点のいずれかと一致するように調整する。
【００７７】
図６及び図７は、第１の実施形態に係る調整部１７７の処理を説明するための図である。図６には、インデックス４１の頂点を上方向に移動させる場合の一例を示し、図７には、インデックス４４の境界線を右方向に移動させる場合の一例を示す。なお、図６及び図７では、任意のフレーム「ｔ」における構成点の位置を（ｈ、ｄ）と２次元の情報として表す。
【００７８】
図６の左図に示すように、例えば、インデックス４１の頂点が指定されると、指定された頂点の付近には、その頂点が移動可能な方向が表示される。ここで、この頂点が上下方向に移動可能な場合には、図６の左図に示すように、この頂点の上下それぞれに、上下方向の矢印が表示される（ガイド表示）。そして、上方向に所定距離移動させる旨の指示が行われると、図６の右図に示すように、インデックス４１の頂点は、上方に所定距離移動される。
【００７９】
この場合、調整部１７７は、移動方向及び移動量の指定に応じて、移動対象となる頂点の位置を調整する。例えば、調整部１７７は、移動対象となる頂点の位置（ｈ１、ｄ１）、移動方向及び移動量「＋２０」を受付部１７６から受け付ける。ここで、移動方向及び移動量「＋２０」は、図６の上方向に２０アドレス分移動させることを示す。この場合、調整部１７７は、移動対象となる頂点の長軸方向の値に２０を加算して、頂点の位置を（ｈ１＋２０、ｄ１）とする。また、調整部１７７は、移動後の頂点と隣り合う各頂点との最短経路を算出する。この場合、調整部１７７は、例えば、移動後の頂点と隣り合う各頂点との最短経路であって、初期輪郭２１上を通る経路を求める。図６に示す例では、調整部１７７は、インデックス４１の頂点とインデックス４２の頂点との間の最短経路と、インデックス４１の頂点とインデックス４３の頂点との間の最短経路とをそれぞれ求める。そして、調整部１７７は、求めたそれぞれの最短経路を通るように境界線を引くことで、領域群３０の各セグメントを調整する。なお、図６の例では、インデックス４１の頂点を上方向に移動させることにより、関心領域の形状が変化している。具体的には、インデックス４４の境界線が短くなった結果、当該境界線を左辺とする関心領域は、四角形から五角形に変化している。言い換えると、インデックス４３の点は、移動前には当該関心領域の頂点ではなかったが、移動後には新たな頂点となることで、当該関心領域が五角形となっている。このように、関心領域の境界を調整する結果、関心領域の頂点が増える場合がある。
【００８０】
また、図７の左図に示すように、例えば、インデックス４４の境界線が指定されると、指定された境界線の付近には、その境界線が移動可能な方向が表示される。ここで、この境界線が左右方向に移動可能な場合には、図７の左図に示すように、この境界線の左右それぞれに、左右方向の矢印が表示される（ガイド表示）。そして、右方向に所定距離移動させる旨の指示が行われると、図７の右図に示すように、インデックス４４の境界線は、右方向に所定距離移動される。
【００８１】
この場合、調整部１７７は、移動方向及び移動量の指定に応じて、移動対象となる境界線の位置を調整する。例えば、調整部１７７は、移動対象となる境界線に含まれる２つの頂点の位置（ｈ１、ｄ１）、（ｈ２、ｄ２）、移動方向及び移動量「＋１５」を受付部１７６から受け付ける。ここで、位置（ｈ１、ｄ１）は、インデックス４１の頂点の位置に対応し、位置（ｈ２、ｄ２）は、インデックス４２の頂点の位置に対応する。また、移動方向及び移動量「＋１５」は、図７の右方向に１５アドレス分移動させることを示す。この場合、調整部１７７は、移動対象となる境界線に含まれる各頂点の円周方向の値に１５を加算して、各頂点の位置を（ｈ１、ｄ１＋１５）及び（ｈ２、ｄ２＋１５）とする。また、調整部１７７は、移動後の境界線の各頂点と隣り合う各頂点との最短経路であって、初期輪郭２１上を通る経路をそれぞれ算出する。図７に示す例では、調整部１７７は、例えば、インデックス４１の頂点とインデックス４３の頂点との間の最短経路を求める。そして、調整部１７７は、求めたそれぞれの最短経路を通るように境界線を引くことで、領域群３０の各セグメントを調整する。
【００８２】
このように、調整部１７７は、受付部１７６が入力を受け付けると、関心領域の境界を、構成点上で調整する。そして、調整部１７７は、関心領域が調整された３次元医用画像データを、表示制御部１７８へ出力する。
【００８３】
なお、図６及び図７で説明したように、各頂点又は各境界線には、移動可能な方向が予め設定されている。例えば、移動可能な方向として、長軸方向、円周方向、長軸方向及び円周方向等の組み合わせが予め設定されており、装置本体１００の所定の記憶領域に記憶されている。これにより、各頂点又は各境界線が医学的に不自然な位置へ調整されるのを防止することができるとともに、簡易な操作で各頂点及び各境界線の移動を指定することができる。
【００８４】
また、図６及び図７は一例に過ぎず、操作者は、任意の頂点又は境界線を任意に調整可能である。また、図６及び図７では、頂点が長軸方向又は円周方向に移動する場合を説明したが、実施形態はこれに限定されるものではない。例えば、移動対象となる頂点は、その頂点を含む境界線上に沿って移動する形態であっても良い。つまり、頂点、又は、境界線に含まれる頂点は、必ずしも長軸方向又は円周方向に沿って移動されなくても良い。
【００８５】
また、図６及び図７では、頂点及び境界線が調整される場合の代表的な例を説明したが、上記の例に限定されるものではない。例えば、境界線として、円周一周分の境界線が移動対象として指定される場合にも適用可能である。例えば、図７において、インデックス４２を含む円周方向に一周分の境界線が移動対象として指定される。この場合、このインデックス４２を含む境界線により囲まれる関心領域は、左心室の心尖部を含むキャップ状の領域である。そして、このインデックス４２を含む境界線が下方向に移動される。
【００８６】
具体的には、調整部１７７は、移動方向及び移動量の指定に応じて、移動対象となる境界線を通る点（インデックス４２）の位置を調整する。例えば、調整部１７７は、移動対象となる境界線に含まれる点（インデックス４２）の位置（ｈ２、ｄ２）、移動方向及び移動量「−５」を受付部１７６から受け付ける。ここで、移動方向及び移動量「−５」は、図７の下方向に５アドレス分移動させることを示す。この場合、調整部１７７は、移動対象となる境界線を通る点の長軸方向の値から５を減算して、点の位置を（ｈ２−５、ｄ２）とする。そして、調整部１７７は、移動後の点を通る円周方向の線を境界線とすることで、キャップ状の関心領域を調整する。このように、円周一周分の境界線を移動させる場合には、調整部１７７は、その境界線を通る点の位置を調整する。すなわち、移動対象として指定・調整されるのは、頂点や境界線に限らず、関心領域の境界を通る点であれば良い。
【００８７】
表示制御部１７８は、関心領域を含む３次元医用画像データに基づく画像をモニタ１３に表示させる。例えば、表示制御部１７８は、調整部１７７によって関心領域の境界が調整されるごとに、調整後の関心領域を含む３次元医用画像データに基づいて、任意の断面像及びボリュームレンダリング画像の少なくとも一方をモニタ１３に表示させる。
【００８８】
図８は、第１の実施形態に係る表示制御部１７８による表示画像の一例を示す図である。図８には、３次元医用画像データに基づく画像を表示する表示領域４０及び表示領域５０がモニタ１３に並列表示される場合の一例を示す。表示領域４０には、図４と同様のボリュームレンダリング画像が表示される。また、表示領域５０には、３次元医用画像データに基づく断面像が表示される。この断面像は、所定の位置に置ける短軸断面及び長軸断面を複数含む画像であり、心臓の内膜に対応する位置（破線部）及び外膜に対応する位置（実線部）が描出されている。
【００８９】
図８に示すように、例えば、表示制御部１７８は、関心領域が調整された３次元医用画像データを調整部１７７から受け付ける。そして、表示制御部１７８は、関心領域が調整された３次元医用画像データに基づいて、表示用の画像を画像生成部１４０に生成させる。図８においては、表示制御部１７８は、ボリュームレンダリング画像が表示される表示領域４０と、断面像が表示される表示領域５０とを並列表示する表示用の画像を生成させる。そして、表示制御部１７８は、画像生成部１４０によって生成された表示用の画像をモニタ１３に表示させる。
【００９０】
このように、表示制御部１７８は、関心領域を含む３次元医用画像データに基づく画像をモニタ１３に表示させる。なお、図８では、断面像及びボリュームレンダリング画像を並列表示させる場合を例示したが、実施形態はこれに限定されるものではない。例えば、実施形態は、これらのいずれか一方のみを表示する場合であっても良い。また、表示制御部１７８は、ポーラーマップ等、他の情報をモニタ１３に表示しても良い。
【００９１】
次に、図９を用いて、第１の実施形態に係る境界の調整に関する処理を説明する。図９は、第１の実施形態に係る境界の調整に関する処理を説明するためのフローチャートである。なお、図９においては、第１設定部１７２及び第２設定部１７５による処理が完了しており、モニタ１３に調整前の表示用の画像が表示されている場合（図６の左図に対応）を説明する。
【００９２】
図９に示すように、超音波診断装置１の受付部１７６は、移動対象となる頂点又は境界線の指定を受け付ける（ステップＳ１０１）。例えば、受付部１７６は、マウスカーソルの操作により、セグメントモデルの各セグメントの頂点及び境界線に対して設定されたインデックスを用いて、移動対象となる頂点又は境界線の指定を受け付ける。続いて、受付部１７６は、移動方向及び移動量の指定を受け付ける（ステップＳ１０２）。例えば、操作者がマウスのホイールを上方向に一定量回転させると、受付部１７６は、インデックス４１の頂点を表示領域４０の上方向に所定距離移動させることが指定されたものとして受け付ける。
【００９３】
そして、調整部１７７は、頂点又は境界線を移動させる（ステップＳ１０３）。例えば、移動対象となる頂点の位置、移動方向及び移動量を受付部１７６から受け付けて、受け付けた情報に基づいて、移動後の頂点の位置を算出する。続いて、調整部１７７は、移動後の頂点又は移動後の境界線に含まれる頂点とそれぞれ隣り合う頂点との間の最短経路を算出する（ステップＳ１０４）。例えば、調整部１７７は、移動後の頂点と隣り合う各頂点との最短経路であって、初期輪郭２１上を通る経路を求める。そして、調整部１７７は、求めたそれぞれの最短経路を通るように境界線を引くことで、領域群３０の各セグメントを調整する。
【００９４】
そして、表示制御部１７８は、頂点又は境界線の移動を反映させた表示画像を生成・表示させる（ステップＳ１０５）。例えば、表示制御部１７８は、関心領域が調整された３次元医用画像データに基づいて、断面像、ボリュームレンダリング画像等、任意の表示用の画像を生成させ、生成させた画像をモニタ１３に表示する。
【００９５】
このように、第１の実施形態に係る超音波診断装置１は、操作者による入力デバイスの操作に応じて、心臓の表面に設定された関心領域の境界を調整する。
【００９６】
上述してきたように、第１の実施形態に係る超音波診断装置１は、心臓の表面を解析する際に表面上に設定される関心領域を形成する頂点を、心臓の表面の構成点に設定する。そして、超音波診断装置１は、関心領域の境界が調整される場合に、その境界を構成点上で調整させる。このため、第１の実施形態に係る超音波診断装置１は、３次元画像における関心領域の境界を容易に調整することが可能となる。したがって、例えば、超音波診断装置１は、解析や診断に要する時間を削減するとともに解析や診断の精度を向上させることができる。左心室の標準的なセグメントモデルは冠動脈の支配領域に対応する考え方なので、個々の症例では境界の調整が必要となる場合がある。また、左心室以外（左心房、右心室、右心房）では標準のセグメントモデルが無く、観察したい関心領域の設定手段として境界の調整が必要となる場合が増す。本願ではこれらの各場合において、上記の効果が高くなる。
【００９７】
なお、第１の実施形態では、超音波診断装置１が、３次元の画像処理による心臓の壁運動解析を行って心臓壁の運動情報を算出する場合を説明したが、運動情報は必ずしも算出されなくても良い。つまり、超音波診断装置１は、必ずしも追跡部１７３及び運動情報算出部１７４を備えていなくても良い。
【００９８】
すなわち、第１の実施形態に係る超音波診断装置１は、取得部１７１、第１設定部１７２、第２設定部１７５、受付部１７６、調整部１７７、及び表示制御部１７８を備えていれば良い。例えば、取得部１７１は、心臓の少なくとも一部が撮影された３次元医用画像データを取得する。第１設定部１７２は、３次元医用画像データにおいて、心臓の表面に対応する複数の位置に対して各位置を識別する識別情報を設定する。第２設定部１７５は、関心領域を形成する頂点を、識別情報が設定された位置に設定する。受付部１７６は、関心領域の境界を調整する旨の入力を受け付ける。調整部１７７は、受付部１７６が入力を受け付けると、関心領域の境界を、識別情報が設定された位置上で調整する。表示制御部１７８は、関心領域を含む３次元医用画像データに基づく画像を表示部に表示させる。これにより、超音波診断装置１は、３次元画像における関心領域の境界を容易に調整することを可能にする。
【００９９】
（第１の実施形態の変形例１）
なお、上記第１の実施形態において、第２設定部１７５は、更に、３次元医用画像データにおいて撮影された心臓の部位に応じて、関心領域を設定しても良い。
【０１００】
図１０は、第１の実施形態の変形例１に係る第２設定部１７５の処理を説明するための図である。図１０には、第２設定部１７５により参照されるテーブルの一例を示す。このテーブルは、設定情報として、装置本体１００の所定の記憶領域に予め記憶されている。
【０１０１】
図１０に示すように、このテーブルは、心臓の部位と、セグメントパターンとが対応づけられた情報を記憶する。ここで、心臓の部位は、３次元医用画像データにおいて撮影された心臓の部位を示す情報である。また、セグメントパターンは、心臓の部位に対応するセグメントモデルを表す情報である。
【０１０２】
この場合、第２設定部１７５は、３次元医用画像データにおいて撮影された心臓の部位に応じて、セグメントモデルを設定する。例えば、第２設定部１７５は、処理対象である３次元医用画像データに対して、心臓の各部位の教師データ（辞書データ）とのパターン認識を行うことで、その３次元医用画像データに含まれる心臓の部位が、左心室、左心房等、どの部位であるかを判定する。そして、第２設定部１７５は、図１０のテーブルを参照し、判定された心臓の部位に対応するセグメントモデルを選択する。そして、第２設定部１７５は、選択したセグメントモデルを設定する。
【０１０３】
このように、第２設定部１７５は、３次元医用画像データにおいて撮影された心臓の部位に応じて、関心領域を設定する。これによれば、超音波診断装置１は、処理対象ごとに適切なセグメントモデルを自動的に設定することができる。
【０１０４】
なお、上記の例では、パターン認識を行う場合を説明したが、実施形態はこれに限定されるものではない。例えば、第２設定部１７５は、被検体の電子カルテに記載された情報を参照し、これに基づいて関心領域を設定しても良い。例えば、電子カルテに「右心室」と記載してあれば、第２設定部１７５は、図１０のテーブルを参照し、右心室に対応する７セグメントのセグメントモデルを設定する。
【０１０５】
（第１の実施形態の変形例２）
また、例えば、ポーラーマップを用いて、関心領域の境界の調整を受け付けても良い。
【０１０６】
図１１は、第１の実施形態の変形例２に係る受付部１７６の処理を説明するための図である。図１１には、３次元医用画像データに基づく画像を表示する表示領域４０及びポーラーマップを表示する表示領域６０がモニタ１３に並列表示される場合の一例を示す。表示領域４０には、図４と同様のボリュームレンダリング画像が表示される。また、表示領域６０には、表示領域４０に表示される３次元医用画像データに設定されたセグメントモデル（関心領域）を関連付けた心臓のポーラーマップが表示される。
【０１０７】
例えば、図１１に示すように、表示制御部１７８は、セグメントモデル（関心領域）を関連付けた心臓のポーラーマップをモニタ１３に表示させる。具体的には、表示制御部１７８は、初期輪郭２１に設定されたセグメントモデル（例えば、１７セグメントモデル等）に対応するポーラーマップを生成する。このポーラーマップの各頂点及び各境界線は、初期輪郭２１に設定されたセグメントモデルの各頂点及び各境界線に関連付けられている。
【０１０８】
ここで、受付部１７６は、モニタ１３に表示されたポーラーマップの頂点又は境界線に対する操作に基づいて、対応する頂点又は境界線の位置情報の調整を受け付ける。例えば、表示領域６０において、各頂点及び各境界線のいずれかがマウスカーソルによって指定されると、受付部１７６は、インデックス４１の頂点が移動対象として指定されたものとして受け付ける。そして、例えば、操作者がマウスのホイールを所定の方向に一定量回転させると、受付部１７６は、指定された頂点又は境界線が所定の方向に所定距離移動させることが指定されたものとして受け付ける。受付部１７６は、受け付けた各種の情報を調整部１７７へ出力することで、上述したように、調整部１７７に頂点及び境界線を調整する処理を実行させる。この結果、例えば、表示領域４０の各頂点及び各境界線が調整される。
【０１０９】
なお、図１１では、表示領域６０に表示されるポーラーマップの各頂点の位置及び各境界線の位置は、調整されないのが好ましい。つまり、表示領域６０のポーラーマップは、頂点又は境界線の位置情報の調整を受け付けるために表示される。これにより、操作者は、常に一定のポーラーマップ表示のもと、並列表示されるボリュームレンダリング画像において頂点又は境界線の調整を入力することができる。
【０１１０】
なお、これに限らず、表示領域６０に表示されるポーラーマップの各頂点の位置及び各境界線の位置についても、その位置情報の調整に伴って調整させても良い。また、図１１では、並列表示される場合を示したが、これに限らず、表示領域４０又は表示領域６０が個別に表示される場合であっても良い。
【０１１１】
（第２の実施形態）
第２の実施形態では、超音波診断装置１は、更に、関心領域の境界が調整されるごとに、調整後の関心領域に含まれる複数の構成点の運動情報に関する指標値を算出し、算出した指標値を操作者に提示する場合を説明する。
【０１１２】
図１２は、第２の実施形態に係る超音波診断装置１の構成例を示すブロック図である。図１２に示すように、第２の実施形態に係る超音波診断装置１は、図１に示した超音波診断装置１と比較して、領域指標算出部１７９を有する点と、表示制御部１７８における処理の一部が相違する。そこで、第２の実施形態では、第１の実施形態と相違する点について説明することとし、同様の点については説明を省略する。
【０１１３】
領域指標算出部１７９は、関心領域が調整されるごとに、調整後の関心領域に含まれる複数の位置の運動情報に関する値（指標値）を算出する。例えば、領域指標算出部１７９は、セグメントモデルに含まれる複数の領域のうち、いずれかの領域の境界が調整されるごとに、調整された境界を含む領域に含まれる構成点の運動情報に基づいて、指標値を算出する。この指標値とは、例えば、平均値、分散値、標準偏差等であるが、これに限らず、操作者により予め定義された任意の指標値であっても良い。
【０１１４】
表示制御部１７８は、領域指標算出部１７９によって指標値が算出されるごとに、指標値をモニタ１３に表示する。例えば、表示制御部１７８は、領域指標算出部１７９によって算出される指標値の大きさに応じて、当該指標値が算出された領域の画素値を変更する。
【０１１５】
図１３は、第２の実施形態に係る表示制御部１７８の処理を説明するための図である。図１３の左図は、境界が調整される前のボリュームレンダリング画像の一例を示し、図１３の右図は、境界が調整された後のボリュームレンダリング画像の一例を示す。
【０１１６】
図１３の左図に示すように、境界が調整される前には、セグメントモデルの領域７０には所定の画素値が割り当てられている。この画素値は、領域７０に含まれる構成点の運動情報に基づいて、領域指標算出部１７９により算出された値の大きさに対応する。
【０１１７】
ここで、例えば、インデックス４１の頂点が上方向に移動されると、領域７０の形状は、図１３の右図に示すように調整される。これに伴い、領域指標算出部１７９は、上述したように、調整後の関心領域に含まれる構成点の運動情報に基づいて、指標値を算出する。表示制御部１７８は、領域指標算出部１７９によって指標値が算出されると、その算出された指標値の大きさに対応する画素値を領域７０に割り当てて、表示領域４０を生成する。これにより、図１３の例では、境界調整後の領域７０は濃い色で表示されている。
【０１１８】
このように、表示制御部１７８は、領域指標算出部１７９によって指標値が算出されるごとに、指標値に対応する画素値でモニタ１３に表示する。
【０１１９】
なお、図１３では、境界調整後の領域の指標値が、その領域の画素値に反映される場合を説明したが、実施形態はこれに限定されるものではない。例えば、表示制御部１７８は、算出された指標値を文字情報として表示領域４０に重畳させて表示しても良い。また、算出される指標値が時系列で変化する値であれば、例えば、横軸を時間としたグラフで表示しても良い。
【０１２０】
このように、第２の実施形態に係る超音波診断装置１は、関心領域の境界が調整されるごとに、調整後の関心領域に含まれる複数の構成点の運動情報に関する指標値を算出し、算出した指標値を操作者に提示する。これによれば、操作者は、境界の調整に応じた指標値の変化をモニタ１３上ですぐに閲覧することができる。このため、例えば、操作者は、指標値が適切に算出される境界に調整する等、関心領域の設定及び解析結果の高精度化が期待される。
【０１２１】
なお、上記の第１の実施形態において説明した各種の変形例については、処理内容に矛盾が生じない範囲内で、第２の実施形態にも適用可能である。
【０１２２】
（その他の実施形態）
さて、これまで第１及び第２の実施形態について説明したが、上述した実施形態以外にも、種々の異なる形態にて実施されてもよい。
【０１２３】
（画像処理装置への適用）
例えば、第１及び第２の実施形態において説明した機能は、医用画像診断装置に限らず、画像処理装置に対しても適用することが可能である。
【０１２４】
図１４は、その他の実施形態に係る画像処理システムの構成例を示す図である。図１４に示すように、その他の実施形態に係る画像処理システムは、画像処理装置２００と、医用画像診断装置３００と、画像保管装置４００とを備える。なお、図１４に例示する各装置は、例えば、病院内に設置された院内ＬＡＮ（Local  Area  Network）５により、直接的、又は、間接的に相互に通信可能な状態となっている。例えば、画像処理システムにＰＡＣＳ（Picture  Archiving  and  Communication  System）が導入されている場合、各装置は、ＤＩＣＯＭ（Digital  Imaging  and  Communications  in  Medicine）規格に則って、医用画像データ等を相互に送受信する。
【０１２５】
図１４において、例えば、医用画像診断装置３００は、３次元の医用画像データを撮像し、撮像した３次元の医用画像データを画像保管装置４００へ格納する。なお、医用画像診断装置３００は、例えば、超音波診断装置、Ｘ線診断装置、Ｘ線ＣＴ（Computed  Tomography）装置、ＭＲＩ（Magnetic  Resonance  Imaging）装置、ＳＰＥＣＴ（Single  Photon  Emission  Computed  Tomography）装置、ＰＥＴ（Positron  Emission  Tomography）装置、ＳＰＥＣＴ装置とＸ線ＣＴ装置とが一体化されたＳＰＥＣＴ−ＣＴ装置、ＰＥＴ装置とＸ線ＣＴ装置とが一体化されたＰＥＴ−ＣＴ装置、ＰＥＴ装置とＭＲＩ装置とが一体化されたＰＥＴ−ＭＲＩ装置、若しくはこれらの装置を複数含む装置群等に対応する。
【０１２６】
また、画像保管装置４００は、医用画像データを保管するデータベースである。具体的には、画像保管装置４００は、各種の医用画像診断装置３００により生成された３次元医用画像データを自装置の記憶部に格納し、保管する。画像保管装置４００に保管された３次元の医用画像データは、例えば、患者ＩＤ、検査ＩＤ、装置ＩＤ、シリーズＩＤ等の付帯情報と対応付けて保管される。
【０１２７】
画像処理装置２００は、例えば、病院内に勤務する医師や検査技師が医用画像の閲覧に用いるワークステーションやＰＣ（Personal  Computer）等である。画像処理装置２００の操作者は、患者ＩＤ、検査ＩＤ、装置ＩＤ、シリーズＩＤ等を用いた検索を行なうことで、必要な３次元の医用画像データを画像保管装置４００から取得する。或いは、画像処理装置２００は、医用画像診断装置３００から直接、３次元の医用画像データを受信しても良い。
【０１２８】
図１５は、その他の実施形態に係る画像処理装置２００の構成例を示す図である。図１５に示すように、画像処理装置２００は、入力部２０１と、通信部２０２と、表示部２０３と、記憶部２１０と、制御部２２０とを備える。入力部２０１、通信部２０２、表示部２０３、記憶部２１０、及び制御部２２０は、互いに接続されている。
【０１２９】
入力部２０１は、マウスやペンタブレット等のポインティングデバイス、キーボード、トラックボール等であり、画像処理装置２００に対する各種操作の入力を操作者から受け付ける。マウスを用いる場合には、マウスホイールによる入力を行うことができる。ペンタブレットを用いる場合には、フリック操作やスワイプ操作による入力を行うことができる。通信部２０２は、ＮＩＣ（Network  Interface  Card）等であり、他の装置との間で通信を行う。表示部２０３は、モニタ、液晶パネル等であり、各種情報を表示する。
【０１３０】
記憶部２１０は、例えば、ハードディスク、半導体メモリ素子等であり、各種情報を記憶する。例えば、記憶部２１０は、制御部２２０が実行する複数の処理を記憶する。
【０１３１】
制御部２２０は、例えば、ＣＰＵ（Central  Processing  Unit）やＭＰＵ（Micro  Processing  Unit）等の電子回路、ＡＳＩＣ（Application  Specific  Integrated  Circuit）やＦＰＧＡ（Field  Programmable  Gate  Array）等の集積回路であり、画像処理装置２００の全体制御を行う。
【０１３２】
ここで、制御部２２０は、取得部１７１、第１設定部１７２、第２設定部１７５、受付部１７６、調整部１７７、及び表示制御部１７８と同様の処理部を備える。すなわち、制御部２２０において、取得部１７１と同様の処理部は、心臓の少なくとも一部が撮影された３次元医用画像データを取得する。第１設定部１７２と同様の処理部は、３次元医用画像データにおいて、心臓の表面に対応する複数の位置に対して各位置を識別する識別情報を設定する。第２設定部１７５と同様の処理部は、関心領域の境界を通る点を、識別情報が設定された位置に設定する。受付部１７６と同様の処理部は、関心領域の境界を調整する旨の入力を受け付ける。調整部１７７と同様の処理部は、受付部１７６が入力を受け付けると、関心領域の境界を、識別情報が設定された位置上で調整する。表示制御部１７８と同様の処理部は、関心領域を含む３次元医用画像データに基づく画像を表示部に表示させる。これにより、画像処理装置２００は、３次元画像における関心領域の境界を容易に調整することを可能にする。
【０１３３】
また、例えば、上記の実施形態において、図示した各装置の各構成要素は機能概念的なものであり、必ずしも物理的に図示の如く構成されていることを要しない。すなわち、各装置の分散・統合の具体的形態は図示のものに限られず、その全部又は一部を、各種の負荷や使用状況等に応じて、任意の単位で機能的又は物理的に分散・統合して構成することができる。更に、各装置にて行なわれる各処理機能は、その全部又は任意の一部が、ＣＰＵ及び当該ＣＰＵにて解析実行されるプログラムにて実現され、或いは、ワイヤードロジックによるハードウェアとして実現され得る。
【０１３４】
また、上記の画像処理方法が適用される臓器は、心臓に限らず、肺や肝臓等であっても良い。
【０１３５】
また、上記の実施形態では、実施形態が壁運動解析（ＷＭＴ）に適用される場合を説明したが、これに限定されるものではない。すなわち、本実施形態は、ボリュームデータに含まれる被写体の表面上に設定された関心領域の境界を調整する場合に、広く適用可能なものである。また、被写体の表面とは、被検体の臓器の表面（輪郭）であっても良いし、被検体の体表面であっても良い。この場合、被写体の表面は、従来の如何なる技術によって検出されても良い。
【０１３６】
また、上記の実施形態及び変形例で説明した画像処理方法は、あらかじめ用意された画像処理プログラムをパーソナルコンピュータやワークステーション等のコンピュータで実行することによって実現することができる。この画像処理プログラムは、インターネット等のネットワークを介して配布することができる。また、この画像処理プログラムは、ハードディスク、フレキシブルディスク（ＦＤ）、ＣＤ−ＲＯＭ、ＭＯ、ＤＶＤ等のコンピュータで読み取り可能な記録媒体に記録され、コンピュータによって記録媒体から読み出されることによって実行することもできる。
【０１３７】
以上、説明した少なくともひとつの実施形態によれば、３次元画像における関心領域の境界を容易に調整することができる。
【０１３８】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【０１３９】
１          超音波診断装置
１００      装置本体
１７０      制御部
１７１      取得部
１７２      第１設定部
１７５      第２設定部
１７６      受付部
１７７      調整部
１７８      表示制御部
【図１】
0006382050.tif 000002
【図２】
0006382050.tif 000003
【図３】
0006382050.tif 000004
【図４】
0006382050.tif 000005
【図５】
0006382050.tif 000006
【図６】
0006382050.tif 000007
【図７】
0006382050.tif 000008
【図８】
0006382050.tif 000009
【図９】
0006382050.tif 000010
【図１０】
0006382050.tif 000011
【図１１】
0006382050.tif 000012
【図１２】
0006382050.tif 000013
【図１３】
0006382050.tif 000014
【図１４】
0006382050.tif 000015
【図１５】
0006382050.tif 000016